(57)【特許請求の範囲】
【請求項１】
垂直仕切によって分離されそれぞれ開放正面を有する複数のモジュール区画に分割される内部容積を有するシャシを含み、前記区画はそれぞれボックス中に格納される機能電子モジュールを全部または一部収容するように成され、各区画は格納された前記モジュールをシャシに対して固定する手段を備えるように成された電子機器用モジュール型サブラックにおいて、
−機能モジュール（１７）を嵌合されていないモジュール区画（１６）の各部分がダミーモジュール（３０）を収容し、
−前記ダミーモジュールのボックス（３１）は、区画の開放側面（１６ａ）の対応部分を遮蔽する垂直正面壁体（３２）と、シャシの垂直仕切（１１）に隣接する垂直側面壁体（３３）とを有する事を特徴とする電子機器用モジュール型サブラック。
【請求項２】
前記垂直仕切（１１）は、機能モジュールの可動ロック部材（２１）およびダミーモジュールの可動ロック部材（３７）と協働するように成された固定ロック部材（２３）を有する事を特徴とする請求項１に記載のサブラック。
【請求項３】
ダミーモジュール（３０）のボックス（３１）はスナップファスナータング（３７）などの弾性ロック部材を有し、このロック部材はボックス（３１）の側壁（３３）から突出し、機能モジュールのロック部材と協働するように仕切壁上に備えられた固定ロック部材（２３）の一部を成すロック当接部材（２４）と協働する事を特徴とする請求項２に記載のサブラック。
【請求項４】
ダミーモジュール（３０）のボックス（３１）は垂直側壁（３３）と実質的に整列した案内リブ（２６ａ）を有する事を特徴とする請求項１乃至３のいずれかに記載のサブラック。
【請求項５】
ダミーモジュール（３０）のロック部材（３７）は、ダミーモジュールの正面壁体（３２）の開口（３８）を通して解除工具によってアクセス可能である事を特徴とする請求項２乃至４のいずれかに記載のサブラック。
【請求項６】
ダミーモジュールのボックス（３１）は成形され、弾性スナップファスナー部材（３７）がボックスの側壁（３３）と一体的に成形され、側壁（３３）と一体的に形成される弾性フィンガー（３９）が側壁の外側に備えられて、垂直仕切（１１）の縁（１１ａ）に当接する事を特徴とする請求項３乃至５のいずれかに記載のサブラック。
【発明の詳細な説明】
【０００１】
【発明の属する技術分野】
本発明は、若干数の電子モジュールを含む機器、例えばプログラマブル自動制御器のモジュール型サブラックに関するものである。
【０００２】
【従来の技術】
電子モジュールを収容するように設計されたモジュールサブラックはシャシを含み、このシャシの内部容積が正面において開いたモジュール区画に分割され、各区画が少なくとも１つの機能電子モジュールを収容するように成されている。
【０００３】
サブラックの用途に適した構造に従って、これらの区画は全部または部分的に電子モジュールによって占有される。占有されていない区画の開いた正面が、取付けやすい低コスト部材によって遮蔽される事が望ましい。また機器の初期構造を補完する追加電子モジュールをサブラックの中に設置するため、これらの部材を容易に離脱できる事が望ましい。
【０００４】
例えばシャシが成形されてシャシのモジュール区画が相互に垂直仕切によって分離されている場合、このシャシが機械的に剛性である必要がある。
【０００５】
【発明が解決しようとする課題】
本発明の目的は、前記の型のサブラックの区画または区画の不占有部分の開放側面を遮蔽しサブラックの剛性を増進する簡単な方法を提供するにある。
【０００６】
【課題を解決するための手段】
本発明によれば、機能モジュールを嵌合されていないモジュール区画の各部分がダミーモジュールを収容し、前記ダミーモジュールのケーシングは、区画の開放側面の対応部分を遮蔽する垂直正面壁体と、シャシの垂直仕切に隣接する垂直側面壁体とを有する。
【０００７】
前記垂直仕切は好ましくは固定ロック部材、例えば固定カムを有し、この固定カムは交互に、機能モジュールおよびダミーモジュールの上に備えられた可動ロック部材と協働する。
【０００８】
前記の可動部材は固定ロックカムの背後に係合する枢転レバーとする事ができる。ダミーモジュールの製造を簡単にするため、ダミーモジュールの正面壁体中の開口を通して挿通される工具によって解除される弾性スナップファスナータングを使用する事ができる。
【０００９】
以下、本発明を図面に示す実施の形態について詳細に説明するが本発明はこれに限定されない。
【００１０】
【発明の実施の形態】
図１と図２に図示のプログラマブル自動制御器は成形された絶縁材料のシャシ１０を含み、このシャシは垂直側面仕切１１と、それぞれ冷却溝穴を備えた水平上壁体１２および水平底壁１３と、モジュール後方にコネクタを通す開口１５を備えた垂直後方壁体１４とを含む。
【００１１】
従ってシャシ１０の画成する内部容積は垂直仕切１１によって複数のモジュール区画１６に分割され、各モジュール区画は高さｈの能動インタフェース機能モジュール１７またはこのような高さｈ／２の２つの機能モジュール３０を収容するように成されている。下記に後者の場合について説明する。
【００１２】
インタフェースモジュール１７は平行六面体ボックス１８を含み、このボックス１８はその対応面上の溝２０などの部材と協働する壁体１２、１３の内側面および仕切１１の一方の側面の上のスライダ１９によってシャシ１０の中に挿入される。ボックス１８の正面近くにボックス側面上に配置された平坦なロックレバー２１などの固定手段が水平軸線ジャーナル２２上を枢転し、仕切１１の正面近くのカム２３などの固定ロック部材と協働する。図３に図示のように、レバー２１は、ジャーナル２２回りに走る適当輪郭の湾曲フックアーム２６および中央部２７を介して、カムのそれぞれ凸形面２４および凹形面２５と協働する。この装置の構造および操作をさらによく理解するためには９４年５月６日のフランス特許第ＦＲ−９４  ０５７１３号を参照されたい。インタフェースモジュール１７のボックスの正面には、自動制御器によって制御される入力ユニットおよび出力ユニットと接続するための端末ブロック（図示されていない）を担持する事ができる。ボックス１７の背後のコネクタ２８が自動制御器の中央処理装置に接続される。
【００１３】
ダミーモジュール３０は高さｈ／２のボックス３１を含み、このダミーモジュールは垂直正面壁体３２と、垂直側壁３３と、切欠を有する垂直後側壁体３４と、ボックスの上端および下端の水平フランジ３５とを含み、これらのフランジ３５はボックスを剛性になし、壁体１２、１３の溝穴を通して入る空気の効率的循環を促進する。
【００１４】
ダミーモジュール３０は、機能モジュールの配置されていないシャシの半区画の中に、その上下のリブ３６ａを側壁３３のそれぞれ上縁と下縁にそって滑らせまた同一側壁３３の側面グルーブ３６ｂをシャシのスライダ１９の中に滑らせる事によって挿入される。ダミーモジュール３０が取付けられた時、その正面壁体３２が区画１６の開放正面１６ａを遮蔽する。ダミーモジュール３０の後側壁体３４は突起部３４ａを有し、この突起部がシャシの後側壁体の開口１５の中に嵌合する。図１は、大型の機能モジュール１７がシャシの左端の区画１６に嵌合し、また半高ダミーモジュール３０が中央半区画１６の中に嵌合するように成された構造を示す分解図である。図２は、同一の中央区画の中に収容された２つのダミーモジュール３０を示す。右端の区画１６はその中にモジュールを収容していない。
【００１５】
ダミーモジュール３０はロック部材によってロックされ、このロック部材は弾性スナップファスナータング３７を含み、このタングは側壁３３の可撓性部分であって、この側壁の他の部分は剛性である。タング３７はリップ３７ａを有し、このリップが仕切１１の正面のカム２３の凸形後側面２４と協働する。図３の中央図は仕切１１と組合わされたカム２３の後側面２４に当接したダミーモジュールの弾性タングのリップ３７ａを示すために切り出された図であり、図３の右端図は隣接仕切１１のカム２３と係合した隣接機能モジュール１７のレバー２１を示す。ダミーモジュール３０の正面壁体３２は工具を挿入するための開口３８を備え、この工具の先端（図５参照）が切欠３７ｃの中に挿入されてタングを破線で示す位置まで移動させ、この位置においてリップはカム２３に当接したその位置から移動させられてボックス２１を解除する。
【００１６】
ボックス３１はプラスチック材料から成形され、このボックスと一体的に成形された弾性フィンガー３９が壁体３３上に横方向に形成されて、区画の中にボックスを挿入した時、仕切１１の縁１１ａに当接する。ダミーモジュールが配置されている時、弾性フィンガーが弾発され、これは、リップ３７ａが解除されるやいなや引き出しを容易にする。
【００１７】
さらにコストのかかる実施態様においては、機能電子モジュールのものと類似のロックレバーをダミーモジュールのボックス上に配置する事ができよう。
【図面の簡単な説明】
【図１】本発明のプログラマブル自動制御器のシャシの分解斜視図。
【図２】図１の構造の概略正面図。
【図３】ダミーモジュールの斜視図。
【図４】対応区画中に部分的に挿入されたダミーモジュールの立面図。
【図５】図４のＡ−Ａ線にそったダミーモジュールの詳細断面図。
【符号の説明】
１０  シャシ
１１  仕切
１６  区画
１７  機能モジュール
１８  機能モジュールのボックス
２１  機能モジュールの可動ロック部材（レバー）
２３  仕切の固定ロック部材（カム）
２４  凸形ロック当接面
２５  凹形ロック当接面
３０  ダミーモジュール
３１  ダミーモジュールのボックス
３２  前壁体
３３  側壁
３６ａ  ガイドリブ
３７  ダミーモジュールの可動ロック部材（スナップファスナータング）
３８  開口
３９  弾性フィンガー
【図１】
0003776167.tif 000002
【図２】
0003776167.tif 000003
【図３】
0003776167.tif 000004
【図４】
0003776167.tif 000005
【図５】
0003776167.tif 000006